(57)【要約】      （修正有）【課題】各カバー部材に形成されたバリにより作業員が怪我することを容易に防止することができる管継手を提供する。【解決手段】所定の角度で折れ曲がり、管部材同士を互いに接続するための筒状の継手本体と、該継手本体の外周を覆うように前記継手本体にその各端部からそれぞれ嵌合され、前記継手本体の屈曲部を覆うなめに該屈曲部を互いに接合可能とすべくそれぞれの前記端部が前記継手本体の曲げ角度に応じた角度で切り取られた筒状の第一及び第二の各カバー部材１６，１７の切断された切断面である端面１８同士の接合部分に、該接合部分を覆うようにテープ部材１９を貼り付ける。【選択図】図１
2007205446.tif 000002
【特許請求の範囲】
【請求項１】
所定の角度で折れ曲がり、管部材同士を互いに接続するための筒状の継手本体と、該継手本体の外周面を覆うように前記継手本体にその各端部からそれぞれ嵌合され、前記継手本体の屈曲部を覆うために該屈曲部で互いに突き合う端部の端面で互いに接合可能とすべくそれぞれの前記端部が前記継手本体の曲げ角度に応じた角度で切り取られた筒状の第一のカバー部材及び第二のカバー部材とを備え、前記第一及び第二の各カバー部材の相互の接合部分には、該接合部分を覆うようにテープ部材が貼り付けられていることを特徴とする管継手。
【請求項２】
筒状の直管部及び該直管部の周壁から前記直管部の外方へ突出する筒部を有し、該筒部の基端部が前記直管部の両側部へ向けて先細る継手本体と、前記直管部の外周面を覆うように前記直管部にその各端部からそれぞれ嵌合され、互いに対向する端部の端面で互いに接合される筒状の第一のカバー部及び第二のカバー部であって前記筒部の露出を許すべく前記各端部が前記筒部の前記基端部の周縁に沿って切断された第一のカバー部材及び第二のカバー部材と、前記筒部の外周面を覆うように前記筒部に嵌合され、前記直管部側に位置する端部に、前記第一及び第二の各カバー部材の切断面にそれぞれ接合される接合面を有し且つ前記筒部の前記基端部をその各先端まで覆う一対の先細り部が形成された第三のカバー部材とを備える管継手であって、前記第一、第二及び第三の各カバー部材の相互の接合部分には、該接合部分を覆うようにテープ部材が貼り付けられていることを特徴とする管継手。
【発明の詳細な説明】
【技術分野】
【０００１】
本発明は、複数の管部材同士を接続するための管継手に関する。
【背景技術】
【０００２】
従来、例えば建物に上下方向に沿って設けられる縦樋と、該縦樋内を流れた雨水を例えば地上の排水口のような所定の箇所に案内すべく地上に沿って配置される案内管とを互いに接続するための管継手が知られている（例えば、特許文献１参照。）。
【０００３】
この管継手は、例えばアルミニウムからなる筒状の継手本体を備える。継手本体は、所定の角度で折れ曲がっており、その一端部が縦樋の端部に挿入され、他端部が案内管の端部に挿入される。更に、管継手は、継手本体の外周面を覆うように且つ継手本体の各端部が露出するように該各端部からそれぞれ継手本体に嵌合される筒状の第一のカバー部材及び第二のカバー部材を備える。
【０００４】
第一及び第二の各カバー部材は、例えばアルミニウムからなり、それぞれ縦樋及び案内管の横断面形状とほぼ同一の横断面形状を有する。各カバー部材の互いに突き当たる端部は、その端面が各カバー部材の軸線に関して継手本体の曲げ角度のほぼ半分の角度で傾斜するように切断されている。これにより、各カバー部材は、それぞれの端面で互いに接合可能となる。
【０００５】
縦樋及び案内管を管継手を介して互いに接続する際、互いに接合された各カバー部材が装着された継手本体の一方の端部を縦樋の端部に挿入し、継手本体の他方の端部を案内管の端部に挿入し、縦樋の端面及び案内管の端面をそれぞれに対応するカバー部材の前記端面と反対側に位置する端面に当接させる。このとき、各カバー部材がそれぞれ縦樋及び案内管の横断面形状とほぼ同一の横断面形状を有することから、縦樋の外周面及び案内管の外周面と各カバー部材の外周面とがほぼ面一になる。これにより、管継手と縦樋及び案内管との接続部分に段差が生じることによる外観の悪化を防止することができる。
【特許文献１】実登第２５３６７４１号公報（第５−６頁、図１）
【発明の開示】
【発明が解決しようとする課題】
【０００６】
しかしながら、第一及び第二の各カバー部材の端部を切断したときに、切断部分にいわゆるバリが発生することがある。各カバー部材にバリが生じた状態で管継手を組み立てると、組み立てられた管継手の出荷作業時や該管継手を用いた配管接続作業時等に、各カバー部材に生じたバリで作業員が手を怪我してしまう虞がある。
【０００７】
管継手の組み立て後、前記切断部分を研削することによりバリを除去することが考えられるが、前記切断部分への研削を管継手毎に手作業で行う必要があり、作業時間の大きな延長を招く。
【０００８】
そこで、本発明の目的は、各カバー部材に形成されたバリにより作業員が怪我することを容易に防止することができる管継手を提供することにある。
【課題を解決するための手段】
【０００９】
上記課題を解決するために、請求項１に記載の発明は、所定の角度で折れ曲がり、管部材同士を互いに接続するための筒状の継手本体と、該継手本体の外周面を覆うように前記継手本体にその各端部からそれぞれ嵌合され、前記継手本体の屈曲部を覆うために該屈曲部で互いに突き合う端部の端面で互いに接合可能とすべくそれぞれの前記端部が前記継手本体の曲げ角度に応じた角度で切り取られた筒状の第一のカバー部材及び第二のカバー部材とを備え、前記第一及び第二の各カバー部材の相互の接合部分には、該接合部分を覆うようにテープ部材が貼り付けられていることを特徴とする。
【００１０】
請求項２に記載の発明は、筒状の直管部及び該直管部の周壁から前記直管部の外方へ突出する筒部を有し、該筒部の基端部が前記直管部の両側部へ向けて先細る継手本体と、前記直管部の外周面を覆うように前記直管部にその各端部からそれぞれ嵌合され、互いに対向する端部の端面で互いに接合される筒状の第一のカバー部及び第二のカバー部であって前記筒部の露出を許すべく前記各端部が前記筒部の前記基端部の周縁に沿って切断された第一のカバー部材及び第二のカバー部材と、前記筒部の外周面を覆うように前記筒部に嵌合され、前記直管部側に位置する端部に、前記第一及び第二の各カバー部材の切断面にそれぞれ接合される接合面を有し且つ前記筒部の前記基端部をその各先端まで覆う一対の先細り部が形成された第三のカバー部材とを備える管継手であって、前記第一、第二及び第三の各カバー部材の相互の接合部分には、該接合部分を覆うようにテープ部材が貼り付けられていることを特徴とする。
【発明の効果】
【００１１】
請求項１に記載の発明によれば、第一及び第二の各カバー部材の切断面である端面同士の接合部分に、該接合部分を覆うようにテープ部材が貼り付けられていることから、第一及び第二の各カバー部材の端部を切断したときに切断部分にバリが発生した場合でも、切断部分に発生したバリを切断面すなわち端面を互いに接合した状態でテープ部材により覆うことができる。これにより、組み立てられた管継手の出荷作業時や該管継手を用いた配管接続作業時等に、従来のように各カバー部材に生じたバリで作業員が手を怪我することを、確実に防止することができる。
【００１２】
また、第一及び第二の各カバー部材の接合部分にテープ部材を貼り付けることにより、各カバー部材に生じたバリで作業員が手を怪我することを防止することができることから、管継手の組み立てた後に各カバー部材の切断部分を研削する場合ほどの作業時間を要しない。従って、従来のような作業時間の大きな延長を招くことなく、各カバー部材に生じたバリで作業員が手を怪我することを容易に防止することができる。
【００１３】
更に、各カバー部材の切断部分に発生したバリをテープ部材で覆うことができることから、例えば複数の管継手の運搬時にそれらを積み重ねた場合、各カバー部材に生じたバリにより他の管継手が破損することを、確実に抑制することができる。
【００１４】
請求項２に記載の発明によれば、第一、第二及び第三の各カバー部材の相互の接合部分に、該接合部分を覆うようにテープ部材が貼り付けられていることから、第一及び第二の各カバー部材の成形時に各カバー部材の端部を切断したときや第三のカバー部材に各先細り部を形成すべく第三のカバー部材の端部を切断したときに、各切断部分にバリが発生した場合でも、前記切断部分に発生したバリを第一及び第二の各カバー部材に形成された切断面及び第三のカバー部材の接合面の相互の接合状態でテープ部材により覆うことができる。これにより、組み立てられた管継手の出荷作業時や該管継手を用いた配管接続作業時等に、従来のように各カバー部材に生じたバリで作業員が手を怪我することを、確実に防止することができる。
【００１５】
また、第三のカバー部材に各先細り部を形成すべく第三のカバー部材の端部を切断したとき、該端部に与えられる圧力や熱等によって、形成された各先細り部の先端が互いに離れるように第三のカバー部材が塑性変形した場合、各先細り部の先端が第一及び第二の各カバー部材の外周面からその外方へたとえ突出したとしても、各先細り部の先端をテープ部材で覆うことができる。これにより、組み立てられた管継手の出荷作業時や配管接続作業時等に、第一及び第二の各カバー部材の外周面からその外方へ突出した各先細り部の先端により作業員が手を怪我することを、確実に防止することができる。
【発明を実施するための最良の形態】
【００１６】
本発明を図示の実施例に沿って説明する。
【実施例】
【００１７】
図１は、建物に設けられる縦樋１１と、該縦樋内を流れる雨水を地上の例えば排水口のような所定の箇所に案内すべく地上に沿って配置される案内管１２とを互いに接続するための管継手１０に、本発明を適用した例を示す。
【００１８】
縦樋１１は、図示の例では、アルミニウムにより形成された円筒体からなり、建物の上下方向に沿って配置されている。案内管１２は、縦樋１１と同様にアルミニウムにより形成され、縦樋１１の内径とほぼ等しい内径を有する円筒体からなり、建物の横方向に沿って配置されている。
【００１９】
本発明に係る管継手１０は、図１に示すように、縦樋１１及び案内管１２がそれぞれ接続される筒状の継手本体１４を備える。
【００２０】
継手本体１４は、図示の例では、アルミニウムからなり、その軸線方向の中心部でほぼ直角に折れ曲がっている。これにより、継手本体１４の縦断面は、Ｌ字状をなしている。継手本体１４は、その一端部１４ａを含む一半における軸線が縦樋１１の軸線に一致するように配置されている。継手本体１４の一端部１４ａは、縦樋１１の下端部１１ａに挿入され、継手本体１４の他端部１４ｂは、案内管１２の端部１２ａに挿入される。
【００２１】
更に、管継手１０は、継手本体１４の外周面１４ｃを覆うように継手本体１４の一端部１４ａ及び他端部１４ｂのそれぞれから嵌合される第一のカバー部材１６及び第二のカバー部材１７を備える。
【００２２】
第一及び第二の各カバー部材１６，１７は、それぞれ継手本体１４と同様にアルミニウム製の円筒体からなる。各カバー部材１６，１７の横断面の形状は、それぞれ縦樋１１及び案内管１２の横断面の形状とほぼ同一である。すなわち、各カバー部材１６，１７の内径は、それぞれ継手本体１４の外径にほぼ等しく、各カバー部材１６，１７の外径は、それぞれ縦樋１１及び案内管１２の外径にほぼ等しい。継手本体１４への各カバー部材１６，１７の嵌合状態で、継手本体１４の屈曲部で互いに突き当たる各カバー部材１６，１７の一端部１６ａ，１７ａは、その端面１８が各カバー部材１６，１７の軸線に関して継手本体１４の曲げ角度に応じた角度で傾斜するように切り取られている。各カバー部材１６，１７の軸線に対する各端面１８の傾斜角は、図示の例では、それぞれほぼ４５°に設定されている。これにより、各カバー部材１６，１７は、それぞれの端面１８で接合可能となり、該各端面が例えば図示しない接着剤により接着されることにより、互いに軸線が直角になるように接合されている。各カバー部材１６，１７の相互の接合により、継手本体１４の屈曲部が各カバー部材１６，１７により覆われている。各カバー部材１６，１７の軸線に沿った長さ寸法は、図示の例では、図１に示す継手本体１４への嵌合状態で、それぞれの他端部１６ｂ，１７ｂから継手本体１４の各端部１４ａ，１４ｂがそれぞれ露出する大きさに設定されている。また、図示の例では、各カバー部材１６，１７の外周面１６ｃ，１７ｃには、従来よく知られた電解法等により、腐食防止のために酸化物の膜が形成されている。
【００２３】
管継手１０を組み立てる際、先ず、継手本体１４の外周面１４ｃに図示しない接着剤を塗布する。次に、継手本体１４にその各端部１４ａ，１４ｂから第一及び第二の各カバー部材１６，１７を嵌合し、該カバー部材の端面１８を互いに当接させ、該各端面を前記した接着剤により接着することにより各カバー部材１６，１７を互いに接合する。これにより、各カバー部材１６，１７が互いに接合された状態で継手本体１４に接着され、これにより、管継手１０の組み立てが完了する。
【００２４】
この管継手１０を用いて縦樋１１及び案内管１２を互いに接続する際、継手本体１４の露出した一端部１４ａ及び他端部１４ｂをそれぞれ縦樋１１の下端部１１ａ及び案内管１２の端部１２ａに挿入し、縦樋１１及び案内管１２の端面を第一及び第二の各カバー部材１６，１７の他端部１６ｂ，１７ｂの端面に当接させる。このとき、各カバー部材１６，１７の横断面形状が、前記したように、それぞれ縦樋１１及び案内管１２の横断面形状とほぼ同一であることから、縦樋１１の外周面及び案内管１２の外周面と各カバー部材１６，１７の外周面とが面一になる。これにより、管継手１０と縦樋１１及び案内管１２との接続部分に段差が生じることによる外観の悪化を防止することができる。その後、継手本体１４と縦樋１１及び案内管１２とを接着剤により互いに接合し、更に、各カバー部材１６，１７と縦樋１１及び案内管１２とを互いに接着剤により接合することにより、縦樋１１及び案内管１２が管継手１０を介して互いに接続される。
【００２５】
本発明に係る管継手１０には、各カバー部材１６，１７の相互の接合部分すなわち各カバー部材１６，１７の切断面である端面１８を含む各一端部１６ａ，１７ａ間を覆うようにテープ部材１９が貼り付けられている。
【００２６】
テープ部材１９は、図示の例では、ポリエチレン及びポリプロピレン等のポリオレフィンのように、加熱されることにより容易に溶融可能な樹脂材料で形成されている。ポリオレフィンは、従来よく知られているように、炭素及び水素からなり、燃やしても塩化水素のような有害ガスが発生しない樹脂である。また、テープ部材１９は、例えばアクリル系粘着剤のように再剥離可能な粘着剤により、両カバー部材１６，１７の外周面１６ｃ，１７ｃに両カバー部材１６，１７の接合線に沿って該両カバー部材の一端部１６ａ，１７ａを跨ぐように貼り付けられている。
【００２７】
テープ部材１９は、管継手１０の組み立て後に該管継手に貼り付けられ、管継手１０が施工現場に運搬されて縦樋１１及び案内管１２の接続作業が終了した後、管継手１０から剥がされる。
【００２８】
このように、第一及び第二の各カバー部材１６，１７の切断面である端面１８同士の接合部分に、該接合部分を覆うようにテープ部材１９が貼り付けられていることから、各カバー部材１６，１７の端部１６ａ，１７ａを切断したときに切断部分にバリが発生した場合でも、前記切断部分に発生したバリを、切断面すなわち各端面１８を互いに接合した状態でテープ部材１９により覆うことができる。
【００２９】
これにより、組み立てられた管継手１０の出荷作業時や該管継手を用いた配管接続作業時等に、従来のように各カバー部材１６，１７に生じたバリで作業員が手を怪我することを、確実に防止することができる。
【００３０】
また、第一及び第二の各カバー部材１６，１７の接合部分にテープ部材１９を貼り付けることにより、各カバー部材１６，１７に生じたバリで作業員が手を怪我することを防止することができることから、管継手１０の組み立てた後に各カバー部材１６，１７の切断部分を研削する場合ほどの作業時間を要しない。従って、従来のような作業時間の大きな延長を招くことなく、各カバー部材１６，１７に生じたバリで作業員が手を怪我することを容易に防止することができる。
【００３１】
各カバー部材１６，１７の切断面である端面１８同士の接合部分がテープ部材１９により覆われていない場合、例えば複数の管継手１０の運搬時にそれらを積み重ねたときに、各カバー部材１６，１７の切断部分に形成されたバリにより他の管継手１０が破損してしまう虞がある。特に、本実施例のように、各カバー部材１６，１７がアルミニウムで形成されており、各カバー部材１６，１７の外周面１６ｃ、１７ｃに腐食防止のための酸化物の膜が形成されている場合には、各カバー部材１６，１７の外周面１６ｃ、１７ｃに傷が付くと、酸化膜の腐食防止機能が低下し、各カバー部材１６，１７が腐食してしまう。
【００３２】
これに対し、本実施例によれば、前記したように、各カバー部材１６，１７の前記切断部分に発生したバリをテープ部材１９で覆うことができることから、例えば複数の管継手１０の運搬時にそれらを積み重ねた場合でも、各カバー部材１６，１７に生じたバリにより他の管継手１０が破損することを、確実に抑制することができる。これにより、各カバー部材１６，１７の外周面１６ｃ、１７ｃに傷が付くことによる酸化膜の腐食防止機能の低下を確実に防止することができる。
【００３３】
更に、前記したように、テープ部材１９が再剥離型の粘着剤により貼り付けられていることから、テープ部材１９を被接着面から剥がすときに、被接着面に糊残りが生じることなく容易に剥がすことができる。
【００３４】
これにより、各カバー部材１６，１７の接合部分に貼り付けられたテープ部材１９を配管接続後に剥がすとき、テープ部材１９を剥がすための作業を簡易化することができる。
【００３５】
また、各カバー部材１６，１７の接合部分に貼り付けられたテープ部材１９を剥がしたときに、各カバー部材１６，１７の外周面１６ｃ，１７ｃに糊が残ることによる外観の悪化を確実に防止することができる。
【００３６】
また、前記したように、テープ部材１９が、加熱されることにより容易に溶融可能な樹脂で形成されていることから、使用済みのテープ部材１９を溶融することにより、この溶融樹脂材料で新たにテープ部材１９を製造することができる。
【００３７】
これにより、使用済みのテープ部材を再利用することができるので、製造コストの削減を確実に図ることができる。特に、テープ部材１９が、本実施例のように、燃やしても塩化水素のような有害ガスが発生しないポリオレフィンで製造されている場合には、テープ部材１９を加熱処理したときに空気の汚染を招かない。
【００３８】
本実施例では、継手本体１４がほぼ直角に折り曲げられた管継手１０に本発明を適用した例を示したが、これに代えて、継手本体が９０°よりも鋭角又は鈍角で折り曲げられた管継手に本発明を適用することができる。
【００３９】
また、本実施例では、継手本体１４及び各カバー部材１６，１７がそれぞれ金属製である例を示したが、これに代えて、継手本体１４及び各カバー部材１６，１７をそれぞれ例えば合成樹脂材料で成形することができる。
【００４０】
更に、本実施例では、建物に設けられる縦樋１１と該縦樋内を流れる雨水を排水口に案内するための案内管１２とを互いに接続するための管継手１０に本発明を適用した例を示したが、これに代えて、縦樋１１及び案内管１２以外の管部材同士を接続するための管継手に本発明を適用することができる。
【００４１】
また、本実施例では、縦樋１１と該縦樋内を流れる雨水を地上の例えば排水口のような所定の箇所に案内するための案内管１２とを互いに接続するための管継手１０に、本発明を適用した例を示したが、これに代えて、図２に示すように、二つの縦樋２１，２２と、建物の図示しない軒に沿って設けられる軒樋から縦樋２１，２２に雨水を案内するための呼び樋２３とを互いに接続するための管継手２０に、本発明を適用することができる。
【００４２】
図２に示す管継手２０は、各縦樋２１，２２及び呼び樋２３がそれぞれ接続される継手本体２４を備える。
【００４３】
継手本体２４は、図示の例では、アルミニウムからなり、上端部２５ａ及び下端部２５ｂがそれぞれ各縦樋２１，２２の端部２１ａ，２２ａに挿入される円筒状の直管部２５と、該直管部の周壁から直管部２５の外方へ伸び、先端部２６ａが呼び樋２３の端部２３ａに挿入される円筒状の筒部２６とを有する。筒部２６は、図示の例では、その軸線が直管部２５の軸線に直角になるように該直管部の上端部２５ａ及び下端部２５ｂの中間に形成されており、これにより、継手本体２４は、全体にＴ字状をなしている。筒部２６の基端部２６ｃは、直管部２５の両側部２５ｄ（図２には、一方の側部２５ｄが示されている。）へ向けて先細っている。
【００４４】
更に、管継手２０は、直管部２５の外周面２５ｃを覆うように直管部２５の上端部２５ａ及び下端部２５ｂのそれぞれから嵌合される円筒状の第一のカバー部材２８及び第二のカバー部材２９と、筒部２６の外周面２６ｂを覆うように筒部２６に嵌合される円筒状の第三のカバー部材３０とを備える。各カバー部材２８，２９，３０は、それぞれアルミニウムからなる。
【００４５】
第一及び第二の各カバー部材２８，２９の横断面の形状は、それぞれ各縦樋２１，２２の横断面の形状とほぼ等しい。すなわち、第一及び第二の各カバー部材２８，２９の内径は、それぞれ直管部２５の外径とほぼ等しく、第一及び第二の各カバー部材２８，２９の外径は、それぞれ各縦樋２１，２２の外径とほぼ等しい。第一及び第二の各カバー部材２８，２９は、直管部２５への嵌合状態で互いに突き当たる各一端部２８ａ，２９ａの端面３１で図示しない接着剤により互いに接合される。また、第一及び第二の各カバー部材２８，２９の各一端部２８ａ，２９ａは、それぞれ第一及び第二の各カバー部材２８，２９からの筒部２６の露出を許すように、筒部２６の基端部２６ｃの周縁に沿って切断されている。これにより、第一及び第二の各カバー部材２８，２９の各一端部２８ａ，２９ａには、それぞれ切断面３２が形成されている。第一及び第二の各カバー部材２８，２９が互いに接合された状態では、互いに対向する一対の隅部３３（図３参照。）が各カバー部材の切断面３２により規定される。
【００４６】
第三のカバー部材３０の横断面の形状は、呼び樋２３の横断面の形状とほぼ等しい。すなわち、第三のカバー部材３０の内径は、筒部２６の外径とほぼ等しく、第三のカバー部材３０の外径は、各縦樋２１，２２の外径とほぼ等しい。第三のカバー部材３０の直管部２５側に位置する一端部３０ａには、筒部２６の基端部２６ｃをその先端まで覆うべく一端部３０ａから基端部２６ｃの先端に向けて先細る一対の先細り部３４が形成されている。各先細り部３４は、筒部２６への第三のカバー部材３０の嵌合状態で、それぞれ第一及び第二の各カバー部材２８，２９の切断面３２のそれぞれに突き当たり、該各切断面に接着剤により接合される接合面３５を有する。各先細り部３４の先端３４ａは、第一及び第二の各カバー部材２８，２９の各切断面３２で規定された各隅部３３のそれぞれに係合する。各先細り部３４は、それぞれ第三のカバー部材３０の一端部３０ａを、該一端部の端面の互いに対向する一対の点を通り且つ該各点で互いに交わる一対の平面に沿って切断することにより形成される。
【００４７】
継手本体２４に各カバー部材２８，２９，３０を装着することにより組み立てられた管継手２０には、図３に示すように、各カバー部材２８，２９，３０の成形時に切断された部分同士の接合部分を覆うようにテープ部材１９が貼り付けられている。テープ部材１９は、図示の例では、第一及び第二の各カバー部材２８，２９の接合面３１で接合された接合部分と、第一及び第二の各カバー部材２８，２９の各切断面３２により規定された各隅部３３と第三のカバー部材３０の各先細り部３４との接合部分とを覆うように、第一、第二及び第三の各カバー部材２８，２９，３０の外周面２８ｂ，２９ｂ，３０ｂに貼り付けられている。
【００４８】
これにより、第一及び第二の各カバー部材２８，２９の成形時に該各カバー部材の一端部２８ａ，２９ａを切断したときや第三のカバー部材３０に各先細り部３４を形成すべく第三のカバー部材３０の一端部３０ａを切断したときに各切断部分にバリが発生した場合でも、前記切断部分に発生したバリをテープ部材１９で覆うことができる。
【００４９】
従って、組み立てられた管継手１０の出荷作業時や該管継手を用いた配管接続作業時等に、従来のように各カバー部材２８，２９，３０に生じたバリで作業員が手を怪我することを、確実に防止することができる。
【００５０】
第三のカバー部材３０の一端部３０ａに各先細り部３４を形成すべく第三のカバー部材３０の一端部３０ａを切断したとき、該一端部に与えられる圧力や熱等によって、形成された各先細り部３４の先端３４ａが互いに離れるように第三のカバー部材３０が塑性変形した場合、第三のカバー部材３０を第一及び第二の各カバー部材２８，２９に接合したときに各隅部３３に各先細り部３４の先端３４ａを嵌め合わせることができず、各先細り部３４の先端３４ａが第一及び第二の各カバー部材２８，２９の外周面２８ｂ，２９ｂからその外方へ突出してしまうことがある。
【００５１】
これに対し、図２に示す例によれば、各先細り部３４の先端３４ａが第一及び第二の各カバー部材２８，２９の外周面２８ｂ，２９ｂからその外方へたとえ突出したとしても、各先細り部３４の先端３４ａをテープ部材１９で覆うことができる。これにより、組み立てられた管継手１０の出荷作業時や配管接続作業時等に、第一及び第二の各カバー部材２８，２９の外周面２８ｂ，２９ｂからその外方へ突出した各先細り部３４の先端３４ａにより作業員が手を怪我することを、確実に防止することができる。
【００５２】
図２に示す例では、継手本体２４及び各カバー部材２８，２９，３０がそれぞれ金属製である例を示したが、これに代えて、継手本体２４及び各カバー部材２８，２９，３０をそれぞれ例えば合成樹脂材料で成形することができる。
【００５３】
また、図２に示す例では、建物に設けられる二つの縦樋２１，２２と、建物の軒に沿って設けられる軒樋から縦樋２１，２２に雨水を案内するための呼び樋２３とを互いに接続するための管継手２０に本発明を適用した例を示したが、これに代えて、縦樋２１，２２及び呼び樋２３以外の管部材同士を接続するための管継手に本発明を適用することができる。
【００５４】
図１及び図２に示す例では、テープ部材１９がポリオレフィンからなる例を示したが、これに代えて、例えばビニル製のテープ部材を本発明に適用することができる。
【００５５】
また、図１及び図２に示す例において、テープ部材１９を発泡体で構成することができる。この場合、テープ部材１９の成形時に、テープ部材１９となる樹脂材料に例えば炭酸水素ナトリウム等の従来よく知られた発泡剤を含有させることにより、発泡したテープ部材１９を形成することできる。
【００５６】
テープ部材が発泡体からなることから、例えば複数の管継手１０，２０の運搬時にそれらを積み重ねた場合、管継手１０，２０が他の管継手１０，２０から受ける荷重を吸収するためのクッションとしての役割をテープ部材１９に担わせることができる。これにより、積み重ねられた各管継手１０，２０が他の管継手１０，２０から受ける荷重により変形したり破損したりすることを、確実に抑制することができる。
【図面の簡単な説明】
【００５７】
【図１】本発明に係る管継手を概略的に示す斜視図である。
【図２】他の実施例に係る管継手を概略的に示す分解斜視図である。
【図３】他の実施例に係る管継手の組み立て完成状態を概略的に示す斜視図である。
【符号の説明】
【００５８】
１０  管継手
１４，２４  継手本体
１８  端面
１６  第一のカバー部材
１７  第二のカバー部材
１９  テープ部材
２５  直管部
２５ｄ  両側部
２６  筒部
２６ｃ  基端部
３０  第三のカバー部材
３２  切断面
３４  先細り部
３５  接合面
【図１】
2007205446.tif 000003
【図２】
2007205446.tif 000004
【図３】
2007205446.tif 000005